(57)【要約】【課題】  原水性状が変動した場合においても、生産水であるろ過水の回収率を一定に保ちつつ、膜面に付着、堆積した有機系汚濁物質を効率的に洗浄除去する膜分離装置の洗浄方法および膜分離装置を提供する。【解決手段】  原水の膜ろ過を行いつつ、間欠的に、原水の濁度と逆洗水中に含まれる酸化剤の濃度の逆数との積が所定範囲内となるように逆洗水中の酸化剤濃度を制御しながら膜を逆洗する。【選択図】図２
2005279496.tif 000002
【特許請求の範囲】
【請求項１】
原水の濁度と逆洗水中に含まれる酸化剤の濃度の逆数との積が所定範囲内となるように逆洗水中の酸化剤濃度を制御しながら膜を逆洗することを特徴とする膜分離装置の洗浄方法。
【請求項２】
前記原水の濁度と逆洗水中に含まれる酸化剤の濃度の逆数との積が０．００１〜１００ＮＴＵ／（ｍｇ／Ｌ）の範囲である、請求項１に記載の膜分離装置の洗浄方法。
【請求項３】
原水の膜ろ過を行う工程と、請求項１または２に記載の洗浄方法を実施する工程とを含む膜分離方法。
【請求項４】
原水の膜ろ過を行う膜と、該膜に逆洗水を供給する逆洗水供給手段と、原水の濁度検出手段と、逆洗水中に含まれる酸化剤の濃度を制御する制御手段とを有し、該制御手段は、原水の濁度と逆洗水中に含まれる酸化剤の濃度の逆数との積が所定範囲内となるように逆洗水中の酸化剤濃度を制御するものであることを特徴とする膜分離装置。
【請求項５】
前記制御手段は、原水の濁度と逆洗水中に含まれる酸化剤の濃度の逆数との積が０．００１〜１００ＮＴＵ／（ｍｇ／Ｌ）の範囲となるように逆洗水中の酸化剤濃度を制御するものである、請求項４に記載の膜分離装置。
【発明の詳細な説明】
【技術分野】
【０００１】
本発明は、膜ろ過を行う膜分離装置の洗浄方法、膜分離方法および膜分離装置の洗浄方法に関する。
【背景技術】
【０００２】
精密濾過膜（ＭＦ膜）および限外濾過膜（ＵＦ膜）は、粒子除去性能が高く、原水中の粒子をほぼ完全に除去することができ、また、ＭＦ膜分離装置、ＵＦ膜分離装置は簡易な操作で運転できることから、原水の除濁、除菌手段として、工業的に広く利用されている。例えば、逆浸透膜分離装置の前処理として、あるいは超純水中の微粒子除去などに、ＭＦ膜またはＵＦ膜の高度な粒子除去性能が有効に利用されている。また、河川水、湖沼水、井水などの天然水を除濁、除菌して飲料水を得る浄水処理分野などにも、その高い信頼性、操作性が認められている。
【０００３】
ところで、膜分離装置では装置の小型化が求められており、この点からは中空糸膜モジュールが有効である。中空糸膜モジュールは、一般に耐圧性のケーシング内に中空糸膜を充填し、原水を中空糸膜の内側または外側に導いてろ過する構成とされている。ろ過の方向により、中空糸の内側から外側へろ過する内圧式中空糸膜モジュールと、中空糸の外側から内側へろ過する外圧式中空糸膜モジュールとの２つの型式に分類されるが、断面円形で耐圧強度が高い中空糸膜は、内圧型、外圧型の方式の違いを問わず逆洗操作を行うことが可能である。一般に、逆洗は、膜のろ過方向とは逆の方向にろ過水を流入させ、膜に堆積した汚濁物をろ過水の逆流による物理洗浄作用で剥離除去することにより行われる。このような逆洗操作を運転工程に組み込んで、所定の時間ろ過を継続した後、定期的に逆洗を行うようにすることにより、膜の汚染の進行を防止し、薬品洗浄に至る期間を大幅に延長、すなわち、膜の薬品洗浄頻度を大幅に低減することが可能となる。
【０００４】
しかしながら、膜分離処理により浄水を得る場合、膜に付着、堆積した汚濁物は、従来の逆洗方法では容易に除去することができない場合がある。すなわち、原水には無機成分のみならず、有機物質、あるいは水中微生物や藻類の代謝物、死骸などに起因する高分子状有機物質も含まれている。そして、これらの有機成分に基づく膜面の汚濁物質は、ろ過水を逆流させる従来の物理的な逆洗方法では除去できない場合がある。
【０００５】
そこで、膜に堆積した有機系汚濁物質を、ろ過水による物理洗浄作用によって除去するだけでなく、ろ過水に酸化剤を添加させて逆流させ、酸化剤による化学的洗浄作用とで除去する方法もある。
【０００６】
しかしながら、この方法で膜面に付着、堆積した有機系汚濁物質を除去する場合でも、原水の濁度変動が激しい河川水、海水などを原水とする場合には、季節変動に加えて、風雨の影響により濁度が激しく変動し、有機系汚濁物質が多量に膜に堆積し、膜の目詰まりを生じさせるといった問題があった。
【０００７】
この問題点を解決するために、特許文献１には、原水性状の変動に応じて膜モジュールの逆洗頻度を制御したり、逆洗時における次亜塩素酸塩の注入時間を制御する方法が提案されている。しかし、膜モジュールの運転中に逆洗頻度を変更すると、この膜モジュールの後段に逆浸透膜（ＲＯ膜）やナノフィルトレーション膜（ＮＦ膜）を設置して、上述の膜モジュールでろ過したろ過水を連続的にＲＯ膜分離、ナノろ過分離するような場合に次のような問題を生じてしまう。すなわち上述の膜モジュールの運転中に逆洗頻度を変更すると、膜モジュールの稼働率が変化することから、得られるろ過水量が変動する。これは後段のＲＯ膜、ＮＦ膜への供給水量が変動してしまうことになり、場合によっては後段のＲＯ装置、ＮＦ装置が連続的に運転できない状況になる。また、膜モジュールのろ過水が貯まるまでＲＯ装置、ＮＦ装置の運転を停止させた場合、ＲＯ装置を断続的に運転させることになるので、ＲＯ膜、ＮＦ膜の機械的な劣化を促進させてしまうといった問題がある。
【０００８】
また、特許文献２には、例えば酸化剤として次亜塩素酸ナトリウムを１０ｐｐｍ程度含んだ逆洗水を、ろ過膜のケーキ層に接する膜面まで浸透させた後、ろ過膜に浸透させた状態で１〜１０分の範囲で保持し、その後、酸化剤を含まない逆洗水で洗浄することで、大量の逆洗水を必要とせず、すなわち生産されるろ過水の回収率を低下させず、酸化剤を添加した逆洗水に膜を十分さらすことができ、洗浄を効果的に行える旨が記載されている。しかしながら、この方法においても、逆洗時間が長くなってしまうので、場合によっては後段のＲＯ装置、ＮＦ装置が連続的に運転できない状況になり、ＲＯ膜、ＮＦ膜の機械的な劣化を促進させてしまうといった問題がある。
【特許文献１】特開２００１−２３２１６０号公報（請求項１、０００８段落など）
【特許文献２】特開２００２−５２３２１号公報（請求項１、００１１段落など）
【発明の開示】
【発明が解決しようとする課題】
【０００９】
本発明は、上記従来の問題点を解決し、高濁度時においても、生産水の回収率を一定に保ちつつ、膜面に付着、堆積した有機系汚濁物質を、効率的に洗浄除去する膜分離装置の洗浄方法および膜分離装置を提供することを目的とする。
【課題を解決するための手段】
【００１０】
上記課題を解決するための本発明は、次の（１）〜（５）の構成を特徴とするものである。
（１）原水の濁度と逆洗水中に含まれる酸化剤の濃度の逆数との積が所定範囲内となるように逆洗水中の酸化剤濃度を制御しながら膜を逆洗することを特徴とする膜分離装置の洗浄方法。
（２）前記原水の濁度と逆洗水中に含まれる酸化剤の濃度の逆数との積が０．００１〜１００ＮＴＵ／（ｍｇ／Ｌ）の範囲である、上記（１）に記載の膜分離装置の洗浄方法。
（３）原水の膜ろ過を行う工程と、上記（１）または（２）に記載の洗浄方法を実施する工程とを含む膜分離方法。
（４）原水の膜ろ過を行う膜と、該膜に逆洗水を供給する逆洗水供給手段と、原水の濁度検出手段と、逆洗水中に含まれる酸化剤の濃度を制御する制御手段とを有し、該制御手段は、原水の濁度と逆洗水中に含まれる酸化剤の濃度の逆数との積が所定範囲内となるように逆洗水中の酸化剤濃度を制御するものであることを特徴とする膜分離装置。
（５）前記制御手段は、原水の濁度と逆洗水中に含まれる酸化剤の濃度の逆数との積が０．００１〜１００ＮＴＵ／（ｍｇ／Ｌ）の範囲となるように逆洗水中の酸化剤濃度を制御するものである、上記（４）に記載の膜分離装置。
【発明の効果】
【００１１】
本発明によれば、高濁度時においても、生産水である濾過水の回収率を一定に保ちつつ、膜面に付着、堆積した有機系汚濁物質を、効率的に洗浄除去し、膜の差圧上昇を低く抑えることができ、長期間安定した運転を継続することが可能となる。そのため、後段に配置されるＲＯ膜、ＮＦ膜を用いた装置へ影響を与えずに洗浄を行うことができ、トータルシステムとしての安定運転が可能となる。
【発明を実施するための最良の形態】
【００１２】
以下、図面を参照して本発明の実施の形態を詳細に説明する。
【００１３】
図１、２は、本発明の一実施形態を示す膜分離装置の概略フロー図であり、図１は最終的な生産水（ろ過水）を得るためのろ過工程、図２は膜モジュールの逆洗工程を示す。図１、２において、１は原水タンク、２は濁度計、３は膜モジュール、４はろ過水タンク、５は制御器、６は次亜塩素酸塩（酸化剤）のタンクである。また、図１、２においては、説明の便宜上、水が流れている配管を実線で示し、水の流れが停止している配管を破線で示してある。
【００１４】
本実施形態において、膜モジュール３は、たとえば複数本の中空糸膜が筒状ケースに収納されてなるが、その中空糸膜としては多孔質であれば特に限定されるものではなく、ポリエチレン、ポリプロピレン、ポリフッ化ビニリデン（ＰＶＤＦ）、ポリテトラフルオロエチレン（ＰＴＦＥ）、ポリスルホン、ポリエーテルスルホン（ＰＥＳ）、ポリエーテル−エーテルケトン（ＰＥＥＫ）、ポリフェニレンスルフィドスルホン（ＰＰＳＳ）、ポリフェニレンスルホン（ＰＰＳＯ）、ポリビニルアルコール、セルロースアセテート、ポリアクリロニトリル、ポリアミド、ポリイミドなどの有機物、セラミック、金属などの無機物その他の材質を選定することができる。特に、耐薬品性に優れているポリフッ化ビニリデン（ＰＶＤＦ）膜が好ましい。
【００１５】
このような膜のうち、その平均孔径が０．００１〜１０μｍの膜が好ましく、平均孔径０．０５〜１μｍの膜がさらに好ましい。平均孔径が０．００１μｍ未満では、目詰まりが早くなり、１０μｍを超えると汚濁物質を除去しにくくなる。
【００１６】
濁度計２は、透過光方式、散乱光方式、表面散乱光方式などの方式で濁度[ＮＴＵ]を測定するものであればよい。また、懸濁物質計（ＳＳ計：Suspended Solid計）を用い、これで得られるＳＳ値を濁度[ＮＴＵ]に換算してもよい。なお、ＳＳ計としても、透過光方式、散乱光方式、表面散乱光方式などの方式のものを用いればよい。
【００１７】
制御器５としては、濁度計２により検出される膜モジュール３への流入水（原水）の濁度と、逆洗水中に含まれる次亜塩素酸塩（酸化剤）の濃度の逆数との積が所定範囲内となるように、逆洗水への次亜塩素酸塩の添加量を制御するものであればよい。たとえば、濁度計２の検出信号を制御器５に入力し、この制御器５でポンプＰ３の電流を制御するなどして、次亜塩素酸塩の添加量を制御する。所定の範囲内とは、酸化剤のコストと洗浄効果との観点から、０．００１〜１００ＮＴＵ／（ｍｇ／Ｌ）の範囲内、より好ましくは０．０１〜５ＮＴＵ／（ｍｇ／Ｌ）の範囲内、さらに好ましくは０．０５〜０．５ＮＴＵ／（ｍｇ／Ｌ）の範囲内である。
【００１８】
この膜分離装置において、生産水（ろ過水）を得るための原水のろ過は、たとえば図１に示すように、ポンプＰ１を作動させ、原水タンク内の原水を膜モジュール３に導入して行う。膜を透過したろ過水は、ろ過水タンク４を経て生産水として取り出される。
【００１９】
ろ過方式としては、全量ろ過方式でもクロスフローろ過方式でもよい。また、加圧ろ過方式でも陰圧ろ過方式でもよいが、加圧ろ過方式がより高いろ過流束が得られるため好ましい。また、内圧ろ過、外圧ろ過のどちらでもよいが、外圧ろ過のほうが、エアスクラビングの効果が大きいので好ましい。
【００２０】
ろ過流束は、特に制限するものではないが、０．１〜５ｍ／ｄとするのが好ましい。このろ過流束が０．１ｍ／ｄ未満では、生産水の回収率が低下し、５ｍ／ｄを超えると膜モジュールの差圧上昇が高くなるおそれがある。
【００２１】
また、ろ過時間は、特に制限するものではないが、５〜６０分とし、その後、後述の逆洗を行うことが好ましい。このろ過時間が５分未満では、生産水の回収率が低下し、６０分を超えると膜モジュールの差圧上昇が高くなる。
【００２２】
このようなろ過工程を継続していると膜面に有機系汚濁物質などが付着し、膜モジュール３による圧力損失が高くなり、また得られるろ過水量が低下する。そこで、間欠的に、ろ過水などに酸化剤を添加して膜モジュール３に逆流させ、物理的作用に加えて酸化剤による化学的洗浄作用で膜面を洗浄（逆洗）する。
【００２３】
膜の逆洗にあたっては、ポンプＰ１を停止して、ポンプＰ２を作動させ、図２に示すようにろ過水タンク４に貯留されたろ過水を膜モジュール３のろ過側から逆流させる。このとき、次亜塩素酸塩タンク６に貯留された次亜塩素酸塩（酸化剤）をポンプＰ３を作動させることにより逆洗水に添加する。次亜塩素酸塩の注入量は、濁度計２の検出信号が制御器５に入力され、該制御器５がポンプＰ３のストローク長、ストローク数などを制御することで制御される。
【００２４】
制御は、濁度計２により検出される膜モジュール３への流入水（原水）の濁度と、逆洗水中に含まれる次亜塩素酸塩（酸化剤）の濃度の逆数との積が所定範囲内となるように行う。具体的には、濁度計２により検出される膜モジュール３への流入水の濁度と、逆洗水中に含まれる次亜塩素酸塩の濃度の逆数との積が、０．００１〜１００ＮＴＵ／（ｍｇ／Ｌ）の範囲となるようにすることが好ましい。そして、より好ましくは、０．０１〜５ＮＴＵ／（ｍｇ／Ｌ）、さらには好ましくは０．０５〜０．５ＮＴＵ／（ｍｇ／Ｌ）の範囲となるようにする。０．００１ＮＴＵ／（ｍｇ／Ｌ）未満では、薬品コストがかかりすぎ、１００ＮＴＵ／（ｍｇ／Ｌ）を超えると十分な洗浄効果が得られない場合がある。
【００２５】
逆洗水に添加される酸化剤は、次亜塩素酸塩に限らず、二酸化塩素、過酸化水素なども好ましい。
【００２６】
逆洗の時間は、特に制限するものではないが、１〜１２０秒の範囲内とするのが好ましい。１回の逆洗時間が１秒未満では、十分な洗浄効果が得られず、１２０秒を超えると膜モジュールの稼働効率が低くなる。
【００２７】
逆洗流束は、特に制限するものではないが、０．１〜１０ｍ／ｄの範囲内であることが好ましい。逆洗流束が０．１ｍ／ｄ未満では、膜面に付着、堆積した有機系汚濁物質を十分に除去することが難しくなり、１０ｍ／ｄを超えると、膜モジュールの機械的劣化をまねき易くなる。
【００２８】
さらにまた、逆洗工程の際に、膜モジュール３の原水側に気体を送り込み、膜面を振動させることにより膜の洗浄を行うことも好ましい。膜面に吸着した有機物が逆洗水に含まれる酸化剤により分解されて非吸着性物質となるため、膜の孔を閉塞する非吸着性物質が、気体の導入により有効にふるい落とされ、洗浄効果が高くなる。
【００２９】
このように、本発明においては、膜モジュール３を逆洗するにあたって、原水の濁度と逆洗水中に含まれる酸化剤の濃度の逆数との積が所定範囲内となるように逆洗水中の酸化剤濃度を制御する。これにより、原水性状が変動した場合においても、膜モジュールの逆洗頻度を変化させたり、次亜塩素酸塩などの酸化剤の注入時間を延長することなく、生産水であるろ過水の回収率を一定に保つことができ、かつ、膜面に付着、堆積した有機系汚濁物質を、効率的に洗浄除去し、膜の差圧上昇を低く抑えることができ、長期間安定した運転を継続することが可能となる。そのため、膜モジュール３の後段にＲＯ膜やＮＦ膜を用いた装置を設置しても、膜モジュール３でろ過したろ過水を、連続的にＲＯやＮＦで膜分離できるようになる。現実のプラントを考慮した場合には、連続的に運転できることが要求されるため、本発明の手段が効果的に発揮されることとなる。
【実施例】
【００３０】
＜実施例１＞
図１、２に示す膜分離装置を用いて、ろ過工程、逆洗工程を繰り返して運転した。
【００３１】
原水としては、水温が１０〜１５℃の海水を用いた。また、膜モジュールとしては、逆洗可能なポリフッ化ビニリデン（ＰＶＤＦ）製精密ろ過中空糸膜（東レ株式会社製）モジュールを用いた。そして、原水の濁度と逆洗水中に含まれる酸化剤の濃度の逆数との積が０．０５〜０．３５ＮＴＵ／（ｍｇ／Ｌ）の範囲に保たれるように、原水の濁度が３ＮＴＵ未満のときには逆洗水中の次亜塩素酸塩の濃度を２０ｍｇ／Ｌとし、原水の濁度が３ＮＴＵ以上の場合には逆洗水の次亜塩素酸塩の濃度を４０ｍｇ／Ｌとなるように制御した。ろ過工程は、ろ過流束１．５ｍ／ｄで１５分とし、逆洗工程は、逆洗流束３．０ｍ／ｄで０．５分とし、７２時間運転した。
【００３２】
その結果を図３に示す。原水の性状が風雨によって変動し、濁度が３以上となった場合には逆洗水中の次亜塩素酸塩の濃度が４０ｍｇ／Ｌとなり、濁度が３ＮＴＵ未満となるまでその濃度を維持した結果、原水濁度が１２ＮＴＵに達した場合においても、膜ろ過差圧は３０ｋＰａから３６ｋＰａとやや上昇したものの、徐々に差圧は下降して３３ｋＰａを維持し続けた。
【００３３】
＜比較例１＞
原水の濁度が３ＮＴＵ以上になった場合でも逆洗水の次亜塩素酸塩の濃度を特に変化させず２０ｍｇ／Ｌとした以外は実施例１と同様にして運転を行った。その結果、図４に示すように、膜ろ過差圧はわずか１０時間で３０ｋＰａから５６ｋＰａと急激に上昇し、その後も膜ろ過差圧はわずかに下降しただけであった。
【００３４】
＜比較例２＞
濁度１ＮＴＵ以上３ＮＴＵ未満の原水を用い、逆洗水の次亜塩素酸塩の濃度を特に変化させず１ｍｇ／Ｌのままとした以外は実施例１と同様にして運転を行った。この結果、図５に示すように、原水の性状が風雨によって変動せず濁度が１〜３ＮＴＵの範囲内であったにもかかわらず、膜ろ過差圧は上昇傾向を示した。十分な洗浄効果が得られていないと考えられる。
【００３５】
＜実施例２＞
原水の濁度と逆洗水中に含まれる酸化剤の濃度の逆数との積が０．０１ＮＴＵ／（ｍｇ／Ｌ）以上０．０５ＮＴＵ／（ｍｇ／Ｌ）未満の範囲に保たれるように、原水の濁度が３ＮＴＵ未満のときには逆洗水中の次亜塩素酸塩の濃度を１００ｍｇ／Ｌとし、原水の濁度が３ＮＴＵ以上の場合には逆洗水の次亜塩素酸塩の濃度を２５０ｍｇ／Ｌとなるように制御した以外は、実施例１と同様にして運転を行った。
【００３６】
その結果、次亜塩素酸塩の消費量が実施例１の５〜６倍となったが、図６に示すように、膜ろ過差圧は全く上昇傾向を示さず安定した運転ができた。
【産業上の利用可能性】
【００３７】
本発明は、たとえば海水淡水化やかん水淡水化に用いられる逆浸透膜分離装置の前処理用途の膜や、超純水製造における前処理用途の膜、さらには、河川水、湖沼水、井水などの天然水を除濁、除菌して飲料水を得る浄水処理分野などに用いられる膜の洗浄に好適に利用される。
【図面の簡単な説明】
【００３８】
【図１】本発明の一実施形態を示す膜分離装置のろ過工程を示す概略フロー図である。
【図２】本発明の一実施形態を示す膜分離装置の逆洗工程を示す概略フロー図である。
【図３】実施例１の結果を示す図である。
【図４】比較例１の結果を示す図である。
【図５】比較例２の結果を示す図である。
【図６】実施例２の結果を示す図である。
【符号の説明】
【００３９】
１：原水タンク
２：濁度計
３：膜モジュール
４：ろ過水タンク
５：制御器
６：次亜塩素酸塩タンク
Ｐ１：給水ポンプ
Ｐ２：逆洗ポンプ
Ｐ３：次亜塩素酸塩供給ポンプ
【図１】
2005279496.tif 000003
【図２】
2005279496.tif 000004
【図３】
2005279496.tif 000005
【図４】
2005279496.tif 000006
【図５】
2005279496.tif 000007
【図６】
2005279496.tif 000008